(57)【要約】      （修正有）【課題】ボールに十分なバックスピン量を付与することができるゴルフクラブ及びその製造方法を提供する。【解決手段】ボールを打撃するフェース面２を備えるゴルフクラブヘッド１が提供される。フェース面は、複数本のスコアライン３０と、第１溝パターンと、第２溝パターンとを有する。スコアラインは、トゥーヒール方向に延びる。第１溝パターンは、複数本の第１仮想線に沿って延びる第１微細溝からなる。第２溝パターンは、第１仮想線と交差する複数本の第２仮想線に沿って延びる第２微細溝からなる。第１微細溝及び第２微細溝の少なくとも一方は、第１微細溝と第２微細溝とが互いに重なり合わないように、第１仮想線と第２仮想線との交点近傍で断絶しながら破線状に延びている。【選択図】図１
2019051384.tif 000002
【特許請求の範囲】
【請求項１】
ボールを打撃するフェース面を備えるゴルフクラブヘッドであって、
前記フェース面は、
トゥーヒール方向に延びる複数本のスコアラインと、
複数本の第１仮想線に沿って延びる第１微細溝からなる第１溝パターンと、
前記第１仮想線と交差する複数本の第２仮想線に沿って延びる第２微細溝からなる第２
溝パターンと
を有し、
前記第１微細溝及び前記第２微細溝の少なくとも一方は、前記第１微細溝と前記第２微
細溝とが互いに重なり合わないように、前記第１仮想線と前記第２仮想線との交点近傍で
断絶しながら破線状に延びている、
ゴルフクラブヘッド。
【請求項２】
前記第２仮想線は、円弧状である、
請求項１に記載のゴルフクラブヘッド。
【請求項３】
前記第２仮想線は、前記フェース面の下端縁よりも外側に存在する点を中心とする円弧
状である、
請求項２に記載のゴルフクラブヘッド。
【請求項４】
前記第２仮想線は、スイートスポット近傍を通り、前記スコアラインに概ね直交する第
３仮想線上の点を中心とする円弧状である、
請求項２又は３に記載のゴルフクラブヘッド。
【請求項５】
前記第１微細溝は、隣接する前記スコアライン間において、トゥーヒール方向に直線状
に延びている、
請求項１から４のいずれかに記載のゴルフクラブヘッド。
【請求項６】
前記第１微細溝は、連続的に延びており、前記第２微細溝は、破線状に延びている、
請求項１から５のいずれかに記載のゴルフクラブヘッド。
【請求項７】
前記第１微細溝は、第２微細溝よりも幅が広い、
請求項６に記載のゴルフクラブヘッド。
【請求項８】
前記第２仮想線は、前記スコアラインと交差するように延びており、
前記第２微細溝は、前記スコアラインと重なり合わないように、前記スコアラインと前
記第２仮想線との交点近傍で断絶しながら破線状に延びている、
請求項１から７のいずれかに記載のゴルフクラブヘッド。
【請求項９】
ボールを打撃するフェース面を備えるゴルフクラブヘッドの製造方法であって、
前記フェース面上に、複数本のスコアラインをトゥーヒール方向に沿って形成するステ
ップと、
前記フェース面上に、レーザーを用いて、複数本の第１仮想線に沿って延びる第１微細
溝からなる第１溝パターンを形成するステップと、
前記フェース面上に、レーザーを用いて、前記第１仮想線と交差する複数本の第２仮想
線に沿って延びる第２微細溝からなる第２溝パターンを形成するステップと、
を備え、
前記第１微細溝を形成するステップ及び前記第２微細溝を形成するステップの少なくと
も一方は、前記第１微細溝と前記第２微細溝とが互いに重なり合わず、前記第１仮想線と
前記第２仮想線との交点近傍で断絶しながら破線状に延びるように、前記第１微細溝及び
前記第２微細溝の少なくとも一方を形成するステップを含む、
ゴルフクラブヘッドの製造方法。
【発明の詳細な説明】
【技術分野】
【０００１】
本発明は、ボールを打撃するフェース面を備えるゴルフクラブヘッド及びその製造方法
に関する。
【背景技術】
【０００２】
従来より、フェース面に、トゥ−ヒール方向に延びるスコアラインに加え、微細溝のパ
ターンが形成されたゴルフクラブヘッドが知られている（特許文献１〜３参照）。スコア
ラインは、打撃時にフェース面上を滑るボールに摩擦を与えることで、ボールに付与され
るバックスピン量を増大させる目的で形成される。なお、スコアラインは、通常、この摩
擦の効果を最大化するために、スイートスポットで所謂スクエアにボールを捉えた時のフ
ェース面上でのボールの軌道（以下、基準の軌道という）に直交する方向に形成されてい
る。しかしながら、雨天時等にスコアラインに水が溜まったり、或いはインテンショナル
ショットやミスショットがされ、ボールが基準の軌道を外れて転がる場合には、スコアラ
インのみでは必ずしもボールに十分なバックスピン量を付与することができない場合があ
る。そこで、このような場合であっても十分なバックスピン量を確保すべく、スコアライ
ンに加え、特許文献１〜３のように、微細溝のパターンが形成されることがある。
【０００３】
特許文献１，２では、スコアラインに平行に延びる直線状の微細溝が開示されている。
このようにスコアラインに平行な微細溝は、主としてスクエアなインパクト時に、バック
スピン量の増大が期待される。また、特許文献１では、スコアラインに平行に延びる微細
溝に加え、当該微細溝に入り込んだ水の排水性を高める目的で、当該微細溝に交差する方
向に直線状に延びる別の微細溝が形成されている。一方、特許文献３には、スコアライン
に交差するように延びる円弧状の微細溝が開示されている。そして、このような円弧状の
微細溝によれば、主としてインテンショナルショットやミスショット時においてボールが
基準の軌道から外れたときに、バックスピン量の増大が期待される。
【先行技術文献】
【特許文献】
【０００４】
【特許文献１】特開２０１１−２３４７４９号公報
【特許文献２】特開２００７−２０２６３３号公報
【特許文献３】特開２０１０−３５７０４号公報
【発明の概要】
【発明が解決しようとする課題】
【０００５】
上記のとおり、微細溝のパターンは、目的に応じて様々に形成することができる。そし
て、本発明者らは、様々な目的を達成すべく、複数のパターンの微細溝をフェース面上に
形成することを考えたが、この場合、微細溝どうしが交差することが起きる。そして、本
発明者らは、その場合、溝の形成時に微細溝どうしが干渉し、お互いに溝の肩を潰しあっ
てしまい、バックスピン量の増大という目的が達成されないことがあるという問題に気が
付いた。
【０００６】
本発明は、ボールに十分なバックスピン量を付与することができるゴルフクラブ及びそ
の製造方法を提供することを目的とする。
【課題を解決するための手段】
【０００７】
本発明の第１観点に係るゴルフクラブヘッドは、ボールを打撃するフェース面を備える
。前記フェース面は、複数本のスコアラインと、第１溝パターンと、第２溝パターンとを
有する。前記スコアラインは、トゥーヒール方向に延びる。前記第１溝パターンは、複数
本の第１仮想線に沿って延びる第１微細溝からなる。前記第２溝パターンは、前記第１仮
想線と交差する複数本の第２仮想線に沿って延びる第２微細溝からなる。前記第１微細溝
及び前記第２微細溝の少なくとも一方は、前記第１微細溝と前記第２微細溝とが互いに重
なり合わないように、前記第１仮想線と前記第２仮想線との交点近傍で断絶しながら破線
状に延びている。
【０００８】
本発明の第２観点に係るゴルフクラブヘッドは、第１観点に係るゴルフクラブヘッドで
あって、前記第２仮想線は、円弧状である。
【０００９】
本発明の第３観点に係るゴルフクラブヘッドは、第２観点に係るゴルフクラブヘッドで
あって、前記第２仮想線は、前記フェースの下端縁よりも外側に存在する点を中心とする
円弧状である。
【００１０】
本発明の第４観点に係るゴルフクラブヘッドは、第２観点又は第３観点に係るゴルフク
ラブヘッドであって、前記第２仮想線は、スイートスポット近傍を通り、前記スコアライ
ンに概ね直交する第３仮想線上の点を中心とする円弧状である。
【００１１】
本発明の第５観点に係るゴルフクラブヘッドは、第１観点から第４観点のいずれかに係
るゴルフクラブヘッドであって、前記第１微細溝は、隣接する前記スコアライン間におい
て、トゥーヒール方向に直線状に延びている。
【００１２】
本発明の第６観点に係るゴルフクラブヘッドは、第１観点から第５観点のいずれかに係
るゴルフクラブヘッドであって、前記第１微細溝は、連続的に延びており、前記第２微細
溝は、破線状に延びている。
【００１３】
本発明の第７観点に係るゴルフクラブヘッドは、第６観点に係るゴルフクラブヘッドで
あって、前記第１微細溝は、第２微細溝よりも幅が広い。
【００１４】
本発明の第８観点に係るゴルフクラブヘッドは、第１観点から第７観点のいずれかに係
るゴルフクラブヘッドであって、前記第２仮想線は、前記スコアラインと交差するように
延びている。前記第２微細溝は、前記スコアラインと重なり合わないように、前記スコア
ラインと前記第２仮想線との交点近傍で断絶しながら破線状に延びている。
【００１５】
本発明の第９観点に係るゴルフクラブヘッドの製造方法は、ボールを打撃するフェース
面を備えるゴルフクラブヘッドの製造方法であって、以下の（１）〜（３）のステップを
備える。なお、以下のステップは、順不同である。
（１）前記フェース面上に、複数本のスコアラインをトゥーヒール方向に沿って形成する
ステップ。
（２）前記フェース面上に、レーザーを用いて、複数本の第１仮想線に沿って延びる第１
微細溝からなる第１溝パターンを形成するステップ。
（３）前記フェース面上に、レーザーを用いて、前記第１仮想線と交差する複数本の第２
仮想線に沿って延びる第２微細溝からなる第２溝パターンを形成するステップ。
【００１６】
また、（２）のステップ及び（３）のステップの少なくとも一方は、前記第１微細溝と
前記第２微細溝とが互いに重なり合わず、前記第１仮想線と前記第２仮想線との交点近傍
で断絶しながら破線状に延びるように、前記第１微細溝及び前記第２微細溝の少なくとも
一方を形成するステップを含む。
【発明の効果】
【００１７】
本発明の第１観点によれば、ゴルフクラブヘッドのフェース面に、スコアラインに加え
、第１微細溝及び第２微細溝のパターンが形成される。第１微細溝と第２微細溝とは、そ
れぞれが全体として描く仮想線（第１仮想線及び第２仮想線）どうしは交差するものの、
溝自体は互いに重なり合わず、干渉しない。その結果、溝の形成時に第１微細溝と第２微
細溝とが互いの肩を潰しあってしまうことがなく、バックスピン量を増大させることがで
き、スピン性能の低下を防ぐことができる。従って、異なるパターンの微細溝を形成する
ことによりそれぞれの目的を達しつつ、ボールに十分なバックスピン量を付与することが
できる。
【００１８】
また、第２観点から第４観点によれば、スイートスポットでスクエアにボールを捉えた
時だけでなく、インテンショナルショットやミスショット時等にも、ボールに十分なバッ
クスピン量を付与することができる。すなわち、フェース面上を基準の軌道から傾いた方
向にボールが滑ることになったとしても、ボールに十分なバックスピン量を付与すること
ができる。
【００１９】
特に第４観点によれば、ボールの軌道が基準の軌道からトゥ側及びソール側のいずれに
傾いた場合であっても、ボールに十分なバックスピン量を付与することができる。なお、
一般に、フェースが開いた状態でのショット時や所謂フェード回転をかける場合等には、
ボールの軌道はフェース面上で基準の軌道からトゥ側に傾き、フェースが閉じた状態での
ショット時や所謂ドロー回転をかける場合等には、ヒール側に傾く。
【００２０】
また、第５観点によれば、スクエアなインパクト時のバックスピン量を効果的に増大さ
せることができる。
【００２１】
また、第６観点によれば、第１微細溝で疎水効果を高めつつ、第２微細溝でバックスピ
ン量を増大させることができる。特に、第１微細溝がトゥーヒール方向に直線状に延びる
溝であり、第２微細溝が円弧状の溝であれば、直線状の溝で疎水効果を高めつつ、円弧状
の溝でインテンショナルショットやミスショット時等のバックスピン量を増大させること
ができる。
【００２２】
また、第７観点によれば、連続的に延びる幅広の第１微細溝により疎水効果をさらに高
めることができ、第２微細溝によるバックピン量の増大効果が高められる。
【００２３】
また、スコアラインと微細溝とが交差し、重なり合う場合には、溝の形成時に当該交差
部分において、実際の設計値よりも溝が深くなってしまうことがある。ゴルフの公式規則
ではフェース面上に形成してよい溝の深さが定められているが、この場合、この規則に違
反してしまうことになりかねない。しかしながら、第８観点によれば、スコアラインと第
２微細溝とは、互いに重なり合わず、干渉しないように構成されている。その結果、ゴル
フの規則に準拠したゴルフクラブヘッドを容易に製造することができる。
【００２４】
また、第９観点によれば、レーザーにより溝の形成を行うため、互いに干渉しないよう
な第１微細溝及び第２微細溝のパターンを容易に形成することができる。
【図面の簡単な説明】
【００２５】
【図１】本発明の一実施形態に係るゴルフクラブヘッドをフェース面側から見た図。
【図２】図１中の円Ｃ１内の領域の部分拡大図。
【図３】様々なショットにおけるフェース面上でのボールの軌道を説明する図。
【図４】溝の深さ方向の断面形状を示す図。
【発明を実施するための形態】
【００２６】
以下、図面を参照しつつ、本発明の一実施形態に係るゴルフクラブヘッド及びその製造
方法について説明する。
【００２７】
＜１．ゴルフクラブヘッドの構成＞
図１に、本実施形態に係るゴルフクラブヘッド１をフェース面２側から見た図を示す。
本実施形態に係るゴルフクラブヘッド１は、アイアン型のゴルフクラブヘッドである。フ
ェース面２には、主としてボールのバックスピン量を増大させる目的で、後述される特徴
的な溝のパターンが形成されるが、同様の溝のパターンは、ウッド型やユーティリティ型
等のゴルフクラブヘッドにも適用可能である。
【００２８】
ゴルフクラブヘッド１は、金属材料から構成され、図１に示すように、ヘッド本体部３
と、ヘッド本体部３にネック部９を介して一体的に設けられたホーゼル部４とを備える。
ホーゼル部４は、ゴルフクラブのシャフトが挿入される円筒状の部材である。ヘッド本体
部３には、後述される様々な溝を除いて平面を規定するフェース面２が形成されている。
【００２９】
フェース面２は、ボールの打撃面であり、中央に様々な溝が形成される溝形成領域２ａ
を有する。溝形成領域２ａは、トゥラインＬ１と、ヒールラインＬ２と、トップラインＬ
３と、ソールラインＬ４とにより区画される。本実施形態では、トップラインＬ３は、ヘ
ッド本体部３のトップに沿っており、ソールラインＬ４は、ヘッド本体部３のソールに沿
っている。換言すると、トップラインＬ３は、フェース面２の上端縁に沿うラインであり
、ソールラインＬ４は、フェース面２の下端縁に沿うラインである。また、トゥラインＬ
１及びヒールラインＬ２は、トップラインＬ３とソールラインＬ４との間を互いに概ね平
行に延びる直線であり、アドレスないしインパクト時においてソールラインＬ４をフェー
ス面２に沿って地面に投影した線に対し概ね直交する。なお、これらのラインＬ１〜Ｌ４
は、視認可能な線であってもよいし、視認不可能な線であってもよい。
【００３０】
図１に示すように、フェース面２には、互いに平行な複数本のスコアライン３０が形成
されている。スコアライン３０は、本実施形態では、トゥ−ヒール方向に沿って連続的に
延びる直線状の溝であり、アドレスないしインパクト時にソールラインＬ４をフェース面
２に沿って地面に投影した線に対し概ね平行である。スコアライン３０は、ソール側では
、概ねトゥラインＬ１からヒールラインＬ２まで延び、トップ側では、概ねトゥラインＬ
１からトップラインＬ３まで延びている。また、スコアライン３０は、トップラインＬ３
及びソールラインＬ４間に概ね等間隔に配置されている。
【００３１】
スコアライン３０は、打撃時にフェース面２上を滑るボールに摩擦を与え、ボールに付
与されるバックスピン量を増大させることができる。特に、本実施形態では、スコアライ
ン３０は、基準の軌道に概ね直交する方向に形成されているため、スクエアなインパクト
時にボールのバックスピン量を効果的に大きくすることができる。なお、基準の軌道とは
、スイートスポットＰｓで所謂スクエアにボールを捉えたショット時における、フェース
面２上でのボールの軌道である（図３（Ａ）参照）。すなわち、基準の軌道とは、スイー
トスポットＰｓ近傍を通り、スコアライン３０に概ね直交するセンターラインＬ５に沿っ
た軌道となる。また、スイートスポットＰｓとは、ゴルフクラブヘッド１の重心をフェー
ス面２に下した垂線の足である。
【００３２】
図２は、図１中の円Ｃ１内の領域の部分拡大図である。図２に示すように、フェース面
２には、スコアライン３０の溝のパターン以外にも、スコアライン３０よりも微細な２つ
の溝パターンが形成されている。１つは、スコアライン３０に平行な複数本の直線状の第
１微細溝１０からなる溝パターンであり、もう１つは、複数本の円弧状の第２微細溝２０
からなる溝パターンである。
【００３３】
第１微細溝１０は、スコアライン３０に平行な第１仮想線Ｖ１に沿って、概ねトゥライ
ンＬ１からヒールラインＬ２まで連続的に延びている。第１微細溝１０は、隣接するスコ
アライン３０の間に複数本存在し、スコアライン３０が形成されている領域を除き、トッ
プラインＬ３及びソールラインＬ４間に概ね等間隔に配置されている。
【００３４】
第１微細溝１０も、スコアライン３０と同様に、打撃時にフェース面２上を滑るボール
に摩擦を与え、ボールのバックスピン量を増大させることができる。特に、本実施形態で
は、第１微細溝１０は、スコアライン３０と平行に延びているため、スコアライン３０と
同様に、スクエアなインパクト時のボールのバックスピン量を効果的に大きくすることが
できる。
【００３５】
また、第１微細溝１０も、スコアライン３０も、トゥラインＬ１からヒールラインＬ２
に亘って連続的に延びているため、疎水効果も効果的に発揮する。従って、ゴルフクラブ
ヘッド１では、雨天時等のバックスピン量の低下を防止することができる。
【００３６】
一方、第２微細溝２０は、第１仮想線Ｖ１と交差する円弧状の第２仮想線Ｖ２に沿って
、第１仮想線Ｖ１と第２仮想線Ｖ２との交点近傍で断絶しながら破線状に延びている。な
お、第２仮想線Ｖ２は、センターラインＬ５上の点であって、ソールラインＬ４よりもフ
ェース面２の外側に位置する点Ｐｃ（図示されない）を中心とする円弧状の線である。ま
た、第２仮想線Ｖ２は、点Ｐｃを中心とする径方向に概ね等間隔に多数本存在する。第２
仮想線Ｖ２は、上に凸の形状であり、センターラインＬ５上に頂点があり、センターライ
ンＬ５よりもトゥ側及びヒール側で下方に傾斜した形状である。なお、ここでいう上下は
、トップ側を上、ソール側を下とする。また、第２仮想線Ｖ２は、スコアライン３０とも
交差するが、第２微細溝２０は、図２からは明確ではないものの、スコアライン３０と第
２仮想線Ｖ２との交点近傍でも断絶している。その結果、第２微細溝２０は、第１微細溝
１０及びスコアライン３０のいずれとも重なり合わない。
【００３７】
第２微細溝２０は、インテンショナルショットやミスショット時等において、フェース
面２上を基準の軌道から傾いて移動するボールに対し、バックスピンを効果的に付与する
ことができる。具体的に説明すると、図３（Ｂ）に示すフェースが開いた状態でのショッ
ト時や、図３（Ｄ）に示す所謂フェード回転をかける場合等には、ボールの軌道はフェー
ス面２上で基準の軌道からトゥ側に傾く。一方、図３（Ｃ）に示すフェースが閉じた状態
でのショット時や、図３（Ｅ）に示すドロー回転をかける場合等には、ボールの軌道はフ
ェース面２上で基準の軌道からヒール側に傾く。そして、このようにフェース面２上で基
準の軌道から外れて進むボールに対し、第２微細溝２０は、比較的直交していることにな
る。その結果、インテンショナルショットやミスショット時等においてボールが第２微細
溝２０に引っ掛かり易くなり、第２微細溝２０は、ボールのバックスピン量を効果的に増
大させることができる。なお、図３（Ａ）〜図３（Ｅ）において、矢印Ａ１は、インパク
ト時のゴルフクラブヘッド１の移動方向を示しており、矢印Ａ２は、ボールの移動方向を
示している。
【００３８】
また、以上のとおり、第２微細溝２０は、第１微細溝１０と重なり合わず、干渉しない
。その結果、溝の形成時に第１微細溝１０と第２微細溝２０とが互いの肩を潰し合ってし
まうことがなく、第１微細溝１０と第２微細溝２０の有するスピン性能が低下することが
ない。また、第２微細溝２０は、スコアライン３０とも干渉しないため、第２微細溝２０
とスコアライン３０との関係でも、同様の効果が得られる。
【００３９】
次に、スコアライン３０、第１微細溝１０及び第２微細溝２０の溝の深さ方向の断面形
状及び寸法について説明する。なお、以下で説明するこれらの溝１０〜３０の断面形状及
び寸法は例示であり、ゴルフの公式規則に従いつつ、適宜変更することができる。なお、
競技用等のゴルフクラブでなければ、ゴルフの公式規則に従う必要はない。
【００４０】
スコアライン３０、第１微細溝１０及び第２微細溝２０の深さ方向の断面形状は、それ
ぞれ同様の形状（相似形）であってもよいし、異なる形状であってもよい。例えば、溝１
０〜３０の断面形状は、図４（Ａ）に示すような底に向かって幅が狭くなる台形状であっ
てもよいし、図４（Ｂ）に示すようなＶ字状であってもよいし、図４（Ｃ）に示すような
円弧状であってもよい。
【００４１】
第１微細溝１０の深さｄ１は、０．０３ｍｍ未満であり、ゴルフ規則に従う場合には、
ｄ１≦０．０２５ｍｍに設定される。同様に、第２微細溝２０の溝の深さｄ２は、０．０
３ｍｍ未満であり、ゴルフ規則に従う場合には、ｄ１≦０．０２５ｍｍに設定される。ま
た、本実施形態では、ｄ１＝ｄ２であるが、ｄ１，ｄ２を異なる値とすることもできる。
【００４２】
また、第１微細溝１０の幅ｗ１は、０．１０ｍｍ〜０．３０ｍｍである。同様に、第２
微細溝２０の幅ｗ２は、０．１０ｍｍ〜０．３０ｍｍである。ただし、本実施形態では、
ｄ１＞ｄ２である。
【００４３】
スコアライン３０の深さｄ３は、０．２００ｍｍ以上であり、ｄ３＞ｄ１，ｄ２である
。なお、ゴルフ規則に従う場合には、ｄ３≦０．５０８ｍｍである。また、スコアライン
の幅ｗ３は、０．５０ｍｍ〜０．８５ｍｍであり、ゴルフ規則に従う場合には、０．９０
ｍｍ以下である。なお、スコアライン３０の縁（肩）は、面取りすることができる。面取
りがされる場合には、スコアライン３０の溝の幅ｗ３は、Ｒ＆Ａの内規「３０度測定法」
に基づいて設定される。
【００４４】
また、トップラインＬ３からソールラインＬ４に向かう方向の第１仮想線Ｖ１、第２仮
想線Ｖ２及びスコアライン３０の間隔をそれぞれｓ１，ｓ２，ｓ３とすると、ｓ３＞ｓ１
＞ｓ２である。従って、本実施形態では、第２微細溝２０は、第１微細溝１０よりも本数
が多い。ボールは、フェース面２上において一度回転し始めると、加速度を付けて回転し
始める。本実施形態では、第２微細溝２０の本数が多いため、ボールが基準の軌道から外
れた場合に効果的にバックスピンの開始が促され、十分なバックスピン量を確保すること
ができる。なお、ここでいう第２微細溝２０の本数は、同じ第２仮想線Ｖ２上の複数本の
第２微細溝２０を１本としてカウントした値である。また、ｓ１，ｓ２，ｓ３は、一定値
でなくてもよい。すなわち、第１仮想線Ｖ１、第２仮想線Ｖ２及びスコアライン３０は、
それぞれ等間隔でなくてもよい。
【００４５】
＜２．ゴルフクラブヘッドの製造方法＞
以下、スコアライン３０、第１微細溝１０及び第２微細溝２０の形成方法を中心として
、本実施形態に係るゴルフクラブヘッド１の製造方法について説明する。
【００４６】
まず、フェース面２上に溝１０〜３０が形成されていない状態のゴルフクラブヘッド１
を用意する。そして、この状態のフェース面２上に、スコアライン３０を形成する。この
工程は、ＮＣ加工や、スコアライン３０と反転形状の突起を含む金型をフェース面２に押
圧するプレス加工等の任意の方法で実現される。
【００４７】
そして、本実施形態では、スコアライン３０を形成した後に、第１微細溝１０及び第２
微細溝２０をフェース面２上に形成する。第１微細溝１０及び第２微細溝２０は、レーザ
ーミーリングにより形成される。そして、第２微細溝２０の形成時には、スコアライン３
０及び第１微細溝１０の形成部位を避けるようにして、フェース面２に対してレーザーの
照射が行われる。第１微細溝１０及び第２微細溝２０の加工は、独立した工程として別々
に行われるが、どちらを先に実行してもよい。本実施形態では、レーザーミーリングが用
いられることで、第２微細溝２０と、第１微細溝１０及びスコアライン３０との干渉を防
ぐといった精緻な制御も、比較的容易に実現される。なお、第１微細溝１０と第２微細溝
２０との干渉を防ぐことができる限り、レーザーミーリング以外の方法、例えば、ＮＣ加
工等の方法で、第１微細溝１０及び第２微細溝２０を形成することもできる。また、第１
微細溝１０及び第２微細溝２０は、スコアライン３０の形成前に形成することも可能であ
る。
【００４８】
＜３．特徴＞
上記実施形態では、ゴルフクラブヘッド１のフェース面２に、スコアライン３０に加え
、第１微細溝１０及び第２微細溝２０のパターンが形成される。そして、第１微細溝１０
と第２微細溝２０とは、互いに重なり合わず、干渉しない。その結果、溝の形成時に第１
微細溝１０と第２微細溝２０とが互いの肩を潰し合ってしまうことがなく、バックスピン
量を増大させることができ、スピン性能の低下を防ぐことができる。従って、ボールに十
分なバックスピン量を付与することができる。また、フェース面２上には、めっきが施さ
れている場合がある。このような場合であっても、第１微細溝１０および第２微細溝２０
が干渉しないことによって、めっき厚よりも溝深さを浅くするように制御することが容易
となる。これにより、フェース面２の錆の発生等を抑制することができる。
【００４９】
また、スコアライン３０と第２微細溝２０とが交差し、重なり合う場合には、溝の形成
時に当該交差部分において、実際の設計値よりも溝が深くなってしまうことがある。ゴル
フの公式規則ではフェース面上に形成してよい溝の深さが定められているが、この場合、
この規則に違反してしまうことになりかねない。しかしながら、ここでは、スコアライン
３０と第２微細溝２０とは、互いに重なり合わず、干渉しないように構成されている。そ
の結果、ゴルフの規則に準拠したフェース面２上の溝を容易に形成することができる。
【００５０】
また、上記実施形態では、第２微細溝２０の存在により、スイートスポットＰｓでスク
エアにボールを捉えた時だけでなく、インテンショナルショットやミスショット時等にも
、ボールに十分なバックスピン量を付与することができる。すなわち、フェース面２上を
基準の軌道から傾いた方向にボールが滑ることになったとしても、ボールに十分なバック
スピン量を付与することができる。また、第１微細溝１０の存在によっても、バックスピ
ン量を増大させることができる。また、第１微細溝１０は、幅広でトゥ−ヒール方向に連
続的に延びているため、疎水効果を高めることができる。
【００５１】
＜４．変形例＞
以上、本発明の一実施形態について説明したが、本発明は上記実施形態に限定されるも
のではなく、その趣旨を逸脱しない限りにおいて、種々の変更が可能である。例えば、以
下の変更が可能である。また、以下の変形例の要旨は、適宜組み合わせることができる。
【００５２】
＜４−１＞
上記実施形態では、第１仮想線Ｖ１と第２仮想線Ｖ２の交点近傍においては、第１微細
溝１０及び第２微細溝２０のうち第２微細溝２０のみが途切れるようになっていたが、両
微細溝１０，２０が途切れるように構成してもよいし、第１微細溝１０のみが途切れるよ
うにしてもよい。
【００５３】
＜４−２＞
第２微細溝２０の描く第２仮想線Ｖ２は、上述した形態に限られず、例えば、第２微細
溝２０を下に凸の円弧状とすることもできるし、又は、円弧の中心Ｐｃをセンターライン
Ｌ５上ではなく、トゥ側又はヒール側にオフセットさせることもできる。また、これらの
双方を採用することもできる。また、第２仮想線Ｖ２は、円弧状に限らず、単なる上に凸
又は下に凸の曲線とすることもできる。また、第２仮想線Ｖ２は、第１仮想線Ｖ１及びス
コアライン３０に対し斜め方向に交差する直線状とすることもできる。
【００５４】
＜４−３＞
第１微細溝１０の描く第１仮想線Ｖ１は、直線状でなくてもよく、例えば、曲線状であ
ってもよいし、折れ線状であってもよい。ただし、第１仮想線Ｖ１は全体として、隣接す
るスコアライン３０間をトゥ−ヒール方向に延びていることが好ましい。
【符号の説明】
【００５５】
１  ゴルフクラブヘッド
２  フェース面
１０  第１微細溝
２０  第２微細溝
３０  スコアライン
Ｐｓ  スイートスポット
Ｖ１  第１仮想線
Ｖ２  第２仮想線
【図１】
2019051384.tif 000003
【図２】
2019051384.tif 000004
【図３】
2019051384.tif 000005
【図４】
2019051384.tif 000006
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
ボールを打撃するフェース面を備えるゴルフクラブヘッドであって、
前記フェース面は、
トゥーヒール方向に延びる複数本のスコアラインと、
複数本の第１仮想線に沿って延びる第１微細溝からなる第１溝パターンと、
前記第１仮想線と交差する複数本の第２仮想線に沿って延びる第２微細溝からなる第２溝パターンと
を有し、
前記第１微細溝及び前記第２微細溝はともに、前記第１微細溝と前記第２微細溝とが互いに重なり合わないように、前記第１仮想線と前記第２仮想線との交点近傍で断絶しながら破線状に延びており、
前記第１微細溝は、前記スコアラインに平行に延びている、
ゴルフクラブヘッド。
【請求項２】
前記第２仮想線は、円弧状である、
請求項１に記載のゴルフクラブヘッド。
【請求項３】
前記第２仮想線は、前記フェース面の下端縁よりも外側に存在する点を中心とする円弧状である、
請求項２に記載のゴルフクラブヘッド。
【請求項４】
前記第２仮想線は、スイートスポット近傍を通り、前記スコアラインに概ね直交する第３仮想線上の点を中心とする円弧状である、
請求項２又は３に記載のゴルフクラブヘッド。
【請求項５】
前記第１微細溝は、隣接する前記スコアライン間において、トゥーヒール方向に直線状に延びている、
請求項１から４のいずれかに記載のゴルフクラブヘッド。
【請求項６】
前記第１微細溝は、第２微細溝よりも幅が広い、
請求項１から５のいずれかに記載のゴルフクラブヘッド。
【請求項７】
前記第２仮想線は、前記スコアラインと交差するように延びており、
前記第２微細溝は、前記スコアラインと重なり合わないように、前記スコアラインと前記第２仮想線との交点近傍で断絶しながら破線状に延びている、
請求項１から６のいずれかに記載のゴルフクラブヘッド。
【請求項８】
ボールを打撃するフェース面を備えるゴルフクラブヘッドの製造方法であって、
前記フェース面上に、複数本のスコアラインをトゥーヒール方向に沿って形成するステップと、
前記フェース面上に、レーザーを用いて、複数本の第１仮想線に沿って延びる第１微細溝からなる第１溝パターンを、前記第１微細溝が前記スコアラインに平行に延びるように形成するステップと、
前記フェース面上に、レーザーを用いて、前記第１仮想線と交差する複数本の第２仮想線に沿って延びる第２微細溝からなる第２溝パターンを形成するステップと、
を備え、
前記第１溝パターンを形成するステップは、前記第１微細溝と前記第２微細溝とが互いに重なり合わず、前記第１仮想線と前記第２仮想線との交点近傍で断絶しながら破線状に延びるように、前記第１微細溝を形成するステップを含み、
前記第２溝パターンを形成するステップは、前記第１微細溝と前記第２微細溝とが互いに重なり合わず、前記第１仮想線と前記第２仮想線との交点近傍で断絶しながら破線状に延びるように、前記第２微細溝を形成するステップを含む、
ゴルフクラブヘッドの製造方法。